(57)【特許請求の範囲】
【請求項１】
時計用瞬時表示機構において、
（Ａ）  回転可能に、ジャンパー・スプリング（１６）を用いて配置される歯（１４）付き表示部材（１０）と、
（Ｂ）  回転可能に搭載される駆動歯車の組（３９）と、
前記駆動歯車の組（３９）は、カム（４０）と、前記カム（４０）に回転可能に固定されるフィンガー（２４）とを有し、
前記フィンガー（２４）は、前記表示部材の歯（１４）と噛み合って前記表示部材（１０）をステップで駆動し、
（Ｃ）  前記カム（４０）と少なくとも間接的に共働するスプリング（３８）と
を有し、
前記カム（４０）は、前記スプリング（３８）の緩む動作により、フィンガ−カム組立体（２４−４０）を回転させて、前記表示部材（１０）をワン・ステップ駆動し、
前記フィンガ−カム組立体（２４−４０）が、前記表示部材（１０）をワン・ステップ駆動した後、前記フィンガー（２４）が、前記表示部材の歯（１４）に当たっている異常な角度位置（Ｓ）より時計周りで下流側にある第１角度位置（Ｄ）で、前記フィンガー（２４）を前記歯（１４）から解放する
ことを特徴とする時計用瞬時表示機構。
【請求項２】
前記カム（４０）は、前記フィンガ−カム組立体（２４−４０）が前記表示部材（１０）をワン・ステップ駆動した後、前記スプリング（３８）の圧縮動作により、前記異常な角度位置（Ｓ）より時計周りで上流側にある第２角度位置（Ｃ）で、前記フィンガー（２４）を前記歯（１４）に係合して保持する
ことを特徴とする請求項１記載の時計用瞬時表示機構。
【請求項３】
前記カム（４０）は、その回転軸からその外周までの距離である半径長さが減少する第１部分（４０ｂ）と、半径長さが減少する第２部分（４０ｅ）とを有し、
前記第１部分（４０ｂ）は、前記フィンガ−カム組立体（２４−４０）を、前記スプリングの緩む操作により、回転させて、前記表示部材（１０）をワン・ステップ駆動し、その後、前記第２部分（４０ｅ）は、前記フィンガ−カム組立体（２４−４０）を、前記スプリングの緩む動作により更に回転させて、前記表示部材（１０）をワン・ステップ駆動した後、前記フィンガ（２４）を前記歯（１４）から解放する
ことを特徴とする請求項１又は２記載の時計用瞬時表示機構。
【請求項４】
前記カム（４０）は、更に最小半径長さの部分（４０ｃ）を有し、
前記最小半径長さの部分（４０ｃ）は、前記半径長さが減少する第１部分（４０ｂ）と第２部分（４０ｅ）の間に挿入され、
前記フィンガ−カム組立体（２４−４０）が、前記表示部材（１０）をワン・ステップ駆動した後、前記スプリング（３８）の圧縮力により、第２角度位置（Ｃ）で、前記フィンガ（２４）を前記歯（１４）に係合した状態で保持する
ことを特徴とする請求項３記載の時計用瞬時表示機構。
【請求項５】
前記駆動歯車の組（３９）は、弓形形状の開口（３４）が形成された駆動歯車（３２）を有し、
前記開口（３２）内に、前記フィンガ−カム組立体（２４−４０）に固定されたスタッド（２８）が係合し、
前記開口（３２）は、前記スタッド（２８）と共働して、前記スプリング（３８）の緩む動作により、前記フィンガ−カム組立体（２４−４０）を回転駆動するあるいは自由に回転させる
ことを特徴とする請求項１記載の時計用瞬時表示機構。
【請求項６】
前記カム（４０）は、半径長さが増加する第１部分（４０ａ）を有し、
前記第１部分（４０ａ）は、前記半径長さが減少する第１部分（４０ｂ）と第２部分（４０ｅ）の間に挿入され、前記駆動歯車（３２）の回転駆動動作により、前記スプリング（２８）を圧縮する
ことを特徴とする請求項５記載の時計用瞬時表示機構。
【請求項７】
前記カムは、半径長さが増加する第２部分（４０ｄ）を有し、
前記第２部分（４０ｄ）は、前記最小半径長さの部分（４０ｃ）と半径長さが減少する第２部分（４０ｅ）との間に挿入され、前記駆動歯車（３２）の回転駆動動作により、前記スプリング（２８）を圧縮する
ことを特徴とする請求項５又は６記載の時計用瞬時表示機構。
【請求項８】
前記半径長さが減少する第１部分（４０ｂ）と第２部分（４０ｅ）は、隣接する
ことを特徴とする請求項１記載の時計用瞬時表示機構。
【請求項９】
前記駆動歯車の組（３９）は、弓形形状の開口（３４）が形成された駆動歯車（３２）を有し、
前記開口（３２）内に、前記フィンガ−カム組立体（２４−４０に固定されたスタッド（２８）が係合し、
前記開口（３２）は、前記スタッド（２８）と共働して、前記スプリング（２８）の緩む動作により、前記フィンガ−カム組立体（２４−４０）を回転駆動するあるいは自由に回転させる
ことを特徴とする請求項８記載の時計用瞬時表示機構。
【請求項１０】
前記カム（４０）は、最小半径長さ部分（４０ｃ）を有し、
前記最小半径長さ部分（４０ｃ）は、前記フィンガ−カム組立体（４０ｃ）が前記表示部材（１０）をワン・ステップ駆動した後、前記スプリング（２８）の圧縮動作により、前記フィンガを前記歯から解放して保持する
ことを特徴とする請求項９記載の時計用瞬時表示機構。
【発明の詳細な説明】
【技術分野】
【０００１】
本発明は、時計に関し、特に、時計の時間（例えば、簡単なカレンダー又は年間カレンダーの表示、あるいは曜日又は月の表示）を瞬間的に表示する機構に関する。
【背景技術】
【０００２】
このような表示機構は公知である。このような表示機構は、歯車付きの表示部材を有する。この表示部材は、回転動作をし、時間の表示が次に変わった時に、短時間の衝撃を分散するために配置された歯車セットにより、駆動される。このような歯車セットは、フィンガと、カムと、駆動歯車とを有する。フィンガは、歯車をワン・ステップ前進させるために歯車と共働する。カムは、回転するフィンガに固定される。駆動歯車は、その駆動力を時計のムーブメントから引き出す。
【０００３】
この種の時計用瞬時表示機構の一例を図１に示す。この機構は、従来と同様に表示部材１０を有する。この表示部材１０は、歯１４付きのデータリング１２から形成され、プレート（図示せず）上に回転運動するよう搭載される。表示部材１０は、ジャンパースプリング１６を用いて、所定角度位置に位置決めされる。表示部材１０は、歯車セット１８により回転駆動される。この歯車セット１８は、中間歯車２０により時計方向に回転駆動され、時間歯車２２と噛み合う。
【０００４】
図３に示すように、歯車セット１８は、フィンガー２４とカム２６とを有する。カム２６は、フィンガー２４に回転するよう固定され、フィンガー２４に対し角度を付けて方向付けられる。カム２６はスタッド２８を有する。このスタッド２８は、フィンガー２４の切り欠き部分３０に係合する。歯車セット１８は、さらに駆動歯車３２を有する。この駆動歯車３２は、中間歯車２０と噛み合う。駆動歯車３２内に開口３４がアーク状に形成される。この開口３４は、駆動端３４ａと受動端３４ｂとを有する。スタッド２８は、開口３４を貫通する。かくして、フィンガー２４−カム２６の組立体が、表示部材１０との結合を形成する。ここで、フィンガー２４−カム２６の組立体は、ある角度で自由に回転する。レバー３６は、カム２６にスプリング３８の力により当たる。
【０００５】
図２に示すように、カム２６は、半径が増加する増加半径部分２６ａと、半径が急激に減少する半径減少部分２６ｂと、最小半径の部分２６ｃとを有する。これらの様々な部分が、レバー３６の当たる面に対し、フィンガー２４の様々な角度的な位置決めセクタを規定する。これは、フィンガー２４−カム２６の組立体の個々の前進モードに対応する。最初の２つの部分２６ａと部分２６ｂが、それぞれフィンガー２４の角度位置Ａ、Ｂにより規定されるＢＡとＡＢである２つの角度セクタを規定する。図１に示す角度位置Ａにおいては、フィンガー２４は、歯１４の上流方向を向いているが、歯１４から離れている。図３に示す角度位置Ｂにおいては、フィンガー２４は、歯１４の下流方向を向いているが、歯１４と係合している。フィンガー２４がデータリング１２のパス上にある場合（図３）を歯１４と係合していると称し、フィンガー２４が歯１４のパスからはずれている場合（図１）には歯１４から離れているていると称する。最後の部分２６ｃがフィンガー２４−カム２６の組立体の安定位置を規定し、フィンガー２４は角度位置Ｂにある。
【０００６】
第１角度セクタＢＡにわたって、フィンガー２４−カム２６の組立体は、駆動歯車３２により、スタッド２８を介して、回転駆動される。このスタッド２８は、開口３４の駆動端３４ａと共働する。この角度セクタ全体にわたって、レバー３６は、部分２６ａに当たる。その結果、スプリング３８は、カム２６の半径の増加の影響により、徐々に引っ張られる。
【０００７】
フィンガー２４が角度位置Ａに到達すると、レバー３６の当接するポイントは部分２６ａから部分２６ｂに通過する。カム２６の半径が急速に小さくなるために、スプリングは急激に緩み、フィンガー２４−カム２６の組立体を、第２の角度セクタＡＢ全体にわたって駆動する。
【０００８】
回転した後、フィンガー２４は角度位置Ｂにあり、レバー３６は部分２６ｃに当たっている。これは、スプリング３８の最小引っ張り位置に対応する。フィンガー２４−カム２６組立体は安定位置にある。この状態を図３に示す。スタッド２８は、開口３４に沿って２／３の場所にある。その結果、駆動歯車３２は、開口３４の駆動端３４ａがスタッド２８をキャッチアップするのに必要な時間（通常８時間である）、フィンガー２４−カム２６組立体の駆動を停止する。
【０００９】
フィンガー２４が、角度位置Ａから角度位置Ｂに急遽通過することにより、表示部材１０をワン・ステップ回転駆動する。表示部材１０のこの回転の後約８時間の間、フィンガー２４は、角度位置Ｂにスプリング３８の力によりロックされている。このフィンガー２４は、レバー３６が部分２６ｃに当たった状態を保持する。この位置において、大きなダメージを引き起こす誤った操作が行われるリスクがある。
【００１０】
一般的に、時間表示機構は、表示部材１０をその現在の動作方向すなわち時計方向に回転駆動する時間修正装置を具備する。フィンガ２４が角度位置Ｂで歯１４と係合している間、この時間修正装置をユーザが駆動すると、表示部材１０は、フィンガー２４を歯１４を介して回転駆動することになる。この操作が可能な理由は、スタッド２８は、開口３４の受動端３４ｂに当たって停止せずに、フィンガー２４が、歯１４から離れるのに十分な距離離れており、駆動歯車３２によりブロックされないからである。
【００１１】
図４において、時間修正装置が部分的に駆動されると、フィンガー２４は、異常な方向位置Ｓの方向を向く。この角度位置Ｓにおいて、フィンガー２４は、歯１４の先端に当たる。この為、この歯１４の先端にフィンガー２４は、スプリング３８の動作により大きな力をかける。これにより、レバー３６をカム２６の増加半径の部分２６ａに当たって保持する。表示部材１０は中間位置にロックされるが、その理由、表示部材１０を回転させようとするジャンパー・スプリング１６の力は、スプリング３８の力に抗するほど十分大きくはないからである。スプリング３８は表示部材１０をロックする。この状態を図４に示す。
【００１２】
フィンガー２４は異常な角度位置Ｓにあるので、ユーザは動作方向とは反対方向にディスプレイを修正しようと思った時には、ユーザは針を後戻ししてもよい。一般的に、瞬時時間修正装置は、表示機構を破損するリスクがあるため、反対方向への修正ができないことになっている。このため、時間修正装置は、回転方向に依存して、１つの表示機構を別の表示機構に修正するのに切り換えるため、切り離し手段あるいはスライド・ギアを具備する。しかし、動作方向とは反対方向への修正は、時間の修正により可能である。それ故に、フィンガー２４が異常な角度位置Ｓで動かない場合、ユーザが表示部材１０の位置を動作方向とは反対方向に回転することにより修正しようとすると、この操作は必然的にフィンガー２４の破損あるいは歯１４の部品の破損につながる。その後、この瞬時表示機構はもはや動作しない。
【発明の開示】
【発明が解決しようとする課題】
【００１３】
本発明の目的は、従来技術の欠点を解決することであり、本発明は、異常な角度位置Ｓをとることが不可能となるような瞬時表示機構を提供する。
【課題を解決するための手段】
【００１４】
本発明の時計用瞬時表示機構は、（Ａ）回転可能に搭載され、ジャンパー・スプリングを用いて配置される、歯付き表示部材と、（Ｂ）回転可能に搭載される駆動歯車の組と、前記駆動歯車の組は、カムと、このカムに回転可能に固定されるフィンガーとを有し、前記フィンガーは、前記表示部材の歯と共働して表示部材をステップ状に駆動し、（Ｃ）前記カムと少なくとも間接的に共働するスプリングとを有する。前記カムは、前記スプリングの緩む動作により、フィンガ−カム組立体を回転させて、前記表示部材をワン・ステップ駆動し、前記カムは、フィンガ−カム組立体を前記スプリングの緩む動作により、回転させ、前記フィンガ−カム組立体が、前記表示部材をワン・ステップ駆動した後、前記フィンガーを前記歯から解放する。
【００１５】
カムのこの特性により、フィンガー２４は、フィンガー２４が表示部材１０の回転をブロックする異常な角度位置Ｓで、動かなくなることはない。
【００１６】
その結果、ユーザにより逆方向への時間修正の場合でも、フィンガー２４または歯１４を破損するリスクは無くなる。
【実施例】
【００１７】
図１−４に示す機構と同様に、図５に示す本発明の瞬時表示機構は、表示部材１０を有する。この表示部材１０は、プレート（図示せず）上に回転動作するよう搭載され、ジャンパー・スプリング１６を用いて一定角度に位置決めされ、歯車セット３９により回転駆動される。歯車セット３９は、上記の歯車セット１８とその構造は同じである。但し、カム４０の特徴に関しては、図６に示すように、異なる。
【００１８】
上記したカム２６と同様に、図６のカム４０は、半径が増加する第１部分４０ａと、半径が急激に減少する第２部分４０ｂと、最小半径の部分４０ｃとを有する。このカム４０は、さらに半径が増加する第１部分４０ｄと、半径が急激に減少する第２部分４０ｅを有する。第１部分４０ｄと第２部分４０ｅが一体となって、部分４０ｃと第１部分４０ａの間のビーク４２を形成する。第２部分４０ｅと第１部分４０ａの間の結合部に、カム４０の半径が局部的に最小の第２部分４０ｆがある。
【００１９】
この２つの部分である第１部分４０ｄと第２部分４０ｅが、２つの新たな角度セクタ（フィンガー２４の２個の角度位置ＣとＤにより規定される角度セクタＢＣとＣＤ）を有する。角度セクタは、フィンガー２４−カム４０の組立体の２個の個別の前進モードに対応する。角度位置Ｃにおいて、フィンガー２４は、角度位置Ｂの下流方向を向くが、歯１４と係合している。角度位置Ｄにおいては、フィンガー２４は、角度位置Ｃの下流方向を向くが、歯１４とは切り離されている。局部的な最小半径の第２部分４０ｆが、フィンガー２４−カム４０の組立体の第２の安定位置を規定する。そこでは、フィンガー２４は、角度位置Ｄの方向を向いている。
【００２０】
図７、８を参照してカム４０を具備した瞬時表示機構の動作を説明する。
【００２１】
歯車セット３９の回転サイクルは、ポイントＤで開始する。第１の角度セクタＤＡにわたって、歯車セット３９の駆動と動作は、セクタＢＡのそれと同一である。同じことがセクタＡＢについても言える。セクタＡＢを回転した後、フィンガー２４は、角度位置Ｂにあり、レバー３６は、部分４０ｃ上に当たる。フィンガー２４−カム４０の組立体が、この第１安定位置を占有し、スタッド２８は、開口３４に沿った２／３の途中にある。
【００２２】
フィンガが角度位置Ｂにある時には２つの状況が起こることがある。
【００２３】
第１の状況において、これは本発明にとって重要なことであるが、ユーザが時間修正装置を動かす。すると、歯１４が、フィンガー２４−カム４０の組立体を、フィンガー２４を介して、カムの第１部分４０ｄに対応する角度位置ＢＣにわたって、駆動する。スプリング３８は、カム４０の半径が大きくなったために伸びる。図７は、歯車セット３９の回転サイクルのこのステップを示す。
【００２４】
ユーザが、この操作を、フィンガー２４ａが角度位置Ｃに到達する前あるいは通過する前に、停止すると、フィンガー２４−カム４０の組立体は、スプリング３８により第１の安定位置に戻る。そこでは、フィンガー２４は角度位置Ｂを占有している。
【００２５】
図８を参照すると、ユーザがこの操作を継続すると、フィンガー２４は角度位置Ｃを通過し、そこではフィンガー２４は歯１４に係合し、レバー３６は、第１部分４０ｄから第２部分４０ｅに移る。スプリングは、カム４０の半径が減少するために、急激に伸び、フィンガー２４−カム４０組立体を、角度セクタＣＤ全体にわたって回転駆動する。回転後、フィンガー２４は、角度位置Ｄにあり、歯１４から解放され、フィンガー２４−カム４０の組立体は、第２の安定位置を占有する。さらに、表示部材１０は、ジャンパー・スプリング１６により駆動され、ワン・ステップ回転する。
【００２６】
半径が急激に減少する第２部分４０ｅにより、フィンガー２４は、かくしてユーザが何のアクションも採らず、駆動され、異常な角度位置Ｓで停止することもない。角度位置Ｓの上流側の角度位置Ｃから、角度位置Ｓの下流側の角度位置Ｄまで、駆動される。その後、ユーザは、時間修正装置を用いて逆戻りさせるが、フィンガー２４または歯１４を、破損するリスクはない。
【００２７】
第２の状況において、ユーザは瞬時時間修正装置を操作しない。開口３４の駆動端３４ａは、約８時間でスタッド２８にキャッチアップする。駆動歯車３２が、フィンガー２４−カム４０の組立体を角度セクタＢＣにわたって駆動する。その後、フィンガー２４−カム４０組立体は、スプリング３８により、角度セクタＣＤにわたって急速に回転する。フィンガー２４は、角度位置Ｄにあるので、フィンガー２４−カム４０の組立体は、この第２安定位置を占める。
【００２８】
スタッド２８は、開口３４の駆動端３４ａの若干下流方向に保持されているので、駆動歯車は、フィンガー２４−カム４０の組立体を、開口３４の駆動端３４ａがスタッド２８に追いつくのに必要な時間の間、駆動するのを停止する。この時間は、通常２時間台である。この２時間後、駆動歯車はフィンガー２４−カム４０組立体を再び制御し、回転のサイクルが角度位置Ｄから再び開始される。
【００２９】
以上に、破損のリスクのない本発明の時間表示機構を説明した。
【００３０】
単純化した実施例においては、カム４０の急速に半径が小さくなる第２部分４０ｂと第２部分４０ｅは隣接している。この場合、増加半径の第１部分４０ｄは存在せず、最小半径の部分４０ｃは、局部的な最小半径の第２部分４０ｆと一体となっている。
【００３１】
カム４０のこの構造により、フィンガー２４−カム２６の組立体は、スプリング３８により、角度位置Ａから角度位置Ｄまで回転駆動され、安定位置Ｂで停止することなく、位置ＢとＣの間の別の駆動モードを通過することはない。
【００３２】
この実施例は、上記した実施例と同様に、フィンガー２４と歯１４の破損のリスクを回避する。しかし、表示部材１０を駆動後、フィンガー２４は、歯１４にはもはや係合していないので、利点はあまりない。従って、フィンガー２４は、表示部材１０の回転をブロックすることはできず、特に、複数個の連続するジャンプのリスクを回避することもない。
【００３３】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３４】
【図１】時計用瞬時表示機構を示す図。
【図２】時計用瞬時表示機構を示す図。
【図３】時計用瞬時表示機構を示す図。
【図４】時計用瞬時表示機構を示す図。
【図５】本発明の表示機構の上面図。
【図６】本発明の表示機構に付属するカムを表す図。
【図７】本発明の表示機構の動作を表す図。
【図８】本発明の表示機構の動作を表す図。
【符号の説明】
【００３５】
１０  表示部材
１２  データリング
１４  歯
１６  ジャンパー・スプリング
１８  歯車セット
２０  中間歯車
２２  時間歯車
２４  フィンガー
２６  カム
２８  スタッド
３０  切り欠き部分
３２  駆動歯車
３４  開口
３４ａ  駆動端
３４ｂ  受動端
３６  レバー
３８  スプリング
３９  歯車セット
４０  カム
４０ａ  第１部分
４０ｂ  第２部分
４０ｃ  部分
４０ｄ  第１部分
４０ｆ  第２部分
【図１】
0005294392.tif 000002
【図２】
0005294392.tif 000003
【図３】
0005294392.tif 000004
【図４】
0005294392.tif 000005
【図５】
0005294392.tif 000006
【図６】
0005294392.tif 000007
【図７】
0005294392.tif 000008
【図８】
0005294392.tif 000009